(57)【要約】      （修正有）【課題】浴槽の中に置いて高さを任意に変え、その高さを保持することによって、浴槽内での立ち座りを容易にするとともに、浴槽への出入りを容易にすることができる装置を提供する。【解決手段】  Ｘバー１，２，３，４と送りねじの機構により浴槽台の高さを入浴中でも任意に変えられるようにした。これにより浴槽に入るとき、あるいは浴槽内で立ち上がるときは台の高さを上げ、湯に浸るときは台を下げて、立ち座り、出入りを容易にできる。またねじりコイルばね１８，１９を装着すれば狭いスペースで上昇駆動力を軽減させることができる。【選択図】図１
2007068950.tif 000002
【特許請求の範囲】
【請求項１】
浴槽内に設置し、高さを上げ下げすることができる機構と、動作範囲の任意の位置で高さを保持できる機構を備えた浴槽台。
【請求項２】
前期請求項の浴槽台において、入浴側以外の壁側に高さを上下動する機構を設け入浴時に邪魔にならない構造としたことを特徴とする浴槽台。
【請求項３】
前記請求項の浴槽台において、Ｘ状の部材を回動可能に接合した上下動機構において、ねじりコイルばねを装着して上昇駆動力を補助する機構を備えたことを特徴とする浴槽台。
【発明の詳細な説明】
【技術分野】
【０００１】  本発明は、下肢の障害などにより浴槽の壁をまたいで浴槽内に入ることが困難な高齢者や障害者などが、浴槽に入りやすいよう浴槽内、または浴槽の外にに置いて使用する浴槽台に関するものである。
【背景技術】
【０００２】  近年、高齢者や障害者が介護者により援助された生活から、自立した生活を営めるよう失われた機能を補うため補助的に福祉機器、福祉用具を活用する機会が増えている。中でも入浴は身体を衛生的に保つためのほか、温湯に浸ることにより血行を増進させ身体の機能の衰えを防ぐため日常的生活に欠かせない行為で前記装置の活用が盛んである。
下肢に痛みがあるか動きが制約される高齢者や障害者が浴槽に入るとき問題となるのは、膝の屈曲、伸展が思うようにできず、このため片足を上げ洗い場から浴壁を越えて浴槽の底に足を着地させることが困難なことである。このため浴槽の中に浴槽台と称する踏み台を置いて、浴槽の底位置を擬似的に上げ、入りやすいようにしている。また浴槽に入った後は浴槽台の上に座り湯に漬かることが行われる。浴槽が広い場合は浴槽台に座る必要性はないが、膝を屈曲し、臀部を浴槽の底に付けた姿勢、いわゆる短座位の姿勢で湯に漬かった場合、立ち上がることが困難になるため浴槽台の上に座って座位姿勢をとることが多い。
【発明の開示】
【発明が解決しようとする課題】
【０００３】  浴槽台を使用して座位姿勢で湯に漬かった場合、上半身、特に胸、肩、首が湯に漬らないため暖まらず血行が改善しない。このため疲れが取れない、筋肉の痛みが緩和されないなどの問題があった。浴槽台には高さを変えることができるものもあるが、入浴前に高さを段階的に変えるものしかなく、入浴後座った姿勢で容易に高さを変更できない構造となっている。特に下肢に障害がある人が、浴槽に入り湯に浸りながら入浴台の高さを設定することは非常に困難である。【０００４】  電気駆動あるいは空気圧駆動により座った姿勢で高さを変えられる上下動機構を備えたいす式移動用リフトもあるが、座面に着座したまま乗り降りするものであって足を座面に置いて浴槽への出入りをすることが出来ない。またいす式移動用リフトは機構が大がかりとなって装置を簡単に浴槽から持ち出すことができないため、下肢に障害がない健常者も入れ替わり入浴する場合邪魔になるなどの欠点があった。またいす式移動用リフトには身体を支える背もたれや上下動機構があるため、その分浴槽内のスペースが狭くなり、座った時に背中をさらに後ろ側に傾けることが出来ないなど浴槽内での動きが制限される問題があった。【０００５】  本発明は、上記のような従来技術の問題に鑑みて、浴槽の中に置いて高さを任意に変え、その高さを保持することによって、浴槽内での立ち座りを容易にするとともに、浴槽への出入りを容易にすることができる。また入浴側ならびに着座したときの背側、足側に上下機構がなく浴槽内における空間を広くとることができ、座位の姿勢でくつろぐことが可能な装置を提供することを目的としたものである。
【課題を解決するための手段】
【０００６】  本発明は上記目的を達成するために、上下機構においてＸ状に構成された部材の先端に送りねじとハンドルを設け、ハンドルを回すことにより先端の距離を変え、高さを変える構造としたものである。また上下機構のうち装置外部に出る部分を入浴者が入浴する側、かつ背中側および足側にならないよう構成したものである。同時に上下機構にねじりコイルばねを装着してハンドルの回転力を軽減させるものである。
【発明の効果】
【０００７】  以上、説明したように請求項第１項記載の発明によれば、浴槽に入るときは台の高さを上げた状態にしておけば、浴壁を越えて足を着地しやすくできる。その後、湯に浸るときは台の高さを下げることによって上半身の首近くまで湯に浸ることができる。立ち上がるときは前記の方法と逆の手順で行い、台の高さを上げることにより腰の位置が高くなり立ちやすくなる。さらに浴槽外へでるときは片足をあまり上げることなく浴壁を越えて洗い場の床面に足を着地することができる。【０００８】  また請求項第２項記載の発明によれば、駆動部分を着座したとき背中側にならない向きで、かつ入浴側と反対の壁側に備えれば浴槽に入る時に足が邪魔にならず、着座したときに背中を浴槽の壁にもたれてくつろぐことができる。【０００９】  また請求項第３項の記載の発明によれば、上昇駆動力を小さくすることができるため人の力でも軽く動作することができる。
【課題を解決するための最良の形態】
【００１０】  以下、本発明の実施の形態を図１〜図１０に基づき説明する。
【００１１】  図１は本発明による可変式浴槽台の全体構造を示したものである。部材Ｘバー１とＸバー２、ならびにＸバー３とＸバー４はそれぞれ長さ方向の中間に図２示す軸受５−１、軸受５−２および軸受５−３、軸受５−４を設け軸部材７により支持され回転可能に接続されている。
【００１２】  さらにＸバー１とＸバー４は図３に示す先端の軸受１ａ、軸受４ａと軸部材６によって回転可能に連結されている。軸部材６はフレーム１２に固着しているレール１３ａ、レール１３ｂをローラ９ａ、ローラ９ｂによってスライド可能なようになっている。
【００１３】  同様にＸバー２とＸバー３は図４に示す軸受２ａと軸受３ａと軸部材８により支持され回転可能に連結されている。軸部材８の両端はフレーム１２に固定されている。
【００１４】  図５に示す軸部材１０はＸバー２とＸバー３の先端にある軸受２ｂ、３ｂによって回転可能に連結されている。
【００１５】  軸部材６と軸部材１０の中間には送りネジ１１が配置されている。送りねじの先端１１ａは軸受け６ｃによって回転可能に取り付けられ、反対側の１１ｂには送りネジに滑合するよう取り付けられている雌ネジ１４があり、軸部材１０に勘合されている。送りネジ１１の先端１１ｃには回転駆動を加えるためのハンドル１６が設けられている。
【００１６】  軸部材１０の両端にはローラ１５ａ、１５ｂが取り付けられている。天板２１にはレール１７ａ、レール１７ｂが装着されており、ローラ１５ａ、ローラ１５ｂが転がりながらレール１７ａ、レール１７ｂを長手方向に沿って滑動できるようになっている。
【００１７】  図２に示すように軸部材７にはねじりコイルばね１８、ねじりコイルばね１９があり、図６に示すＸバー１とＸバー２にはさまれる角度Ｔ１が大きくなると大きな反力が生じるようコイルの巻き方向が決められ配置されている。同様に図示しないがＸバー３とＸバー４によりはさまれる角度Ｔ２の角度が大きくなると大きな反力が生じるようねじりコイルばね１９が配置されている。
【００１８】  図２に示すようにコイルばね１８のフック１８ａはＸバー１に接合され、他端のフック１８ｂは部材２０に取り付けられている。同様にばねのフック１９ａはＸバー４に接合され、他端のフック１９ｂは部材２０に取り付けられている。
【００１９】  送りねじ１１が右ねじの場合、ハンドル１６を左方向に回転させると、図６に示すように１１ａから１１ｂまでの距離Ｅが小さくなるため回転角度Ｔ１、Ｔ２が小さくなり高さｈが大きくなって天板２１が上昇する。逆にハンドルを右に回すと図７に示すように１１ａから１１ｂまでの距離Ｅが大きくなりＴ１、Ｔ２が大きくなり高さｈが小さくなって天板が下降する。送りねじが左ねじの場合は前述と逆になるだけで、ハンドルを回すことによって高さを変えることができる。
【００２０】  また送りねじの作用により１１ａから１１ｂまでの距離Ｅは天板に加わる荷重が変動したり外力が作用しても維持できるため高さｈを保持することができる。
【００２１】  フレーム１２、レール１３ａ、１３ｂは人が入浴するとき入浴側と反対側に配置するようにすれば入浴の邪魔にならない。本発明の浴槽台の配置については決まりがあるわけではなく、入浴者の都合で変えてもよい。
【００２２】  次にねじりコイルばね１８、ねじりコイルばね１９を装着することによってハンドル１６の回転力を軽減することができる。図６に示すようにＸバー１とＸバー２の回転軸間の高さをｈｏ、部材の長さをＬ、摩擦係数をμ、軸力をトルクに変換する係数をＣ、回転角をＴ１、天板に乗っている荷重をＷとすると送りねじの軸方向の力Ｆｊは、ｈｏ＝Ｌｃｏｓ（Ｔ１／２）、Ｆｊ＝Ｗｔａｎ（Ｔ１／２）、Ｔｈ＝ＦｊμＣからＴｈ＝μＷＣ√（（Ｌ／ｈｏ）２−１）となり、高さｈｏの値によって変化する。いまねじりコイルばね１８を装着すると、ねじりコイルばねのばね定数をＫ、ねじり角をＴ１、摩擦力などの定数をＤとすると反発トルクＴｒはＴｒ＝ＫＤＴ１となるので、ハンドル１６が必要なトルクＴｔｏｔａｌはＴｔｏａｌ＝Ｔｈ−Ｔｒ＝Ｗｔａｎ（Ｔ１／２）μＣ−ＫＤＴ１となるので、角度Ｔ１が大きくなるとねじりコイルばね１８の反発力が増えるため回転力はばねが無いときに比べ小さくできる。また回転角度Ｔ１が小さくなるとコイルばねの反発トルクＴｒが小さくなるので回転力はあまりかわらない。
【００２３】  このようにして荷重がかかっても天板を上昇させるとき、ハンドル１６の回転力の大きな変動を軽減することができる。また反対側にねじりコイルばね１９を装着する場合も同様の効果がある。ねじりコイルばね１８，ねじりコイルばね１９は同時に取り付けてもよい。
【００２４】  以上のような作用によって容易に操作力を軽くできる。ねじりコイルばねを装着すれば、電気駆動や空気圧駆動を用いずとも上昇駆動が容易になり、装置が軽量、小型となり可搬的に用いることが出来る。
【００２５】  本発明を使用する場合の手順を説明する。
【００２６】  図８に示した図は本発明による高さ可変式浴槽台２０を浴槽内に配置した状態を示したものである。高さ可変式浴槽台２０は浴槽に固定してもよいが、固定しなくてもよい。高さ可変式浴槽台２０のハンドル１６を回して天板２１上げておく。人が浴槽内に入るときは天板高さが高いので足をまたいで容易に足を置くことが出来る。次に図９に示す浴槽２２の底に足を着けて降り高さ可変式浴槽台２０に着座する。高さが高いため容易に座ることができる。次にハンドル１６を回し天板２１を下げると人は図１０に示したように足を縮め短座位の状態に近い格好で座ることができ、胸、肩まで湯に浸ることができる。なお座り方は特に規定するわけではない。浴槽から出る場合は逆の手順でハンドル１６を回して天板２１を上げ、図９の状態から立ち上がり、図８に示した状態で洗い場の床面２４に足を着き出ることができる。
【００２７】  以上の説明のようにすれば、浴槽内への出入りが容易となり、入浴時の着座高さを変えることによって入浴がしやすくなる。
【図面の簡単な説明】
【００２８】
【図１】本発明の実施形態を示す高さ可変式浴槽台の斜視図
【図２】斜視図の断面ＡＡ
【図３】斜視図の断面ＢＢ
【図４】斜視図の断面ＣＣ
【図５】斜視図の断面ＤＤ
【図６】高さと角度を示す図
【図７】高さと角度を示す図
【図８】入浴時の状態を示す縦断面図
【図９】入浴時の状態を示す横断面図
【図１０】入浴時の状態を示す横断面図
【符号の説明】
【００２９】１  Ｘバー１
２  Ｘバー２
３  Ｘバー３
４  Ｘバー４
１１  送りねじ
１２  フレーム
１４  雌ねじ
１６  ハンドル
１８  ねじりコイルばね
１９  ねじりコイルばね
２０  浴槽台
２１  天板
【図１】
2007068950.tif 000003
【図２】
2007068950.tif 000004
【図３】
2007068950.tif 000005
【図４】
2007068950.tif 000006
【図５】
2007068950.tif 000007
【図６】
2007068950.tif 000008
【図７】
2007068950.tif 000009
【図８】
2007068950.tif 000010
【図９】
2007068950.tif 000011
【図１０】
2007068950.tif 000012